(57)【要約】【課題】低所側に障害物があってこれを避けるために横幅の狭い足場板を取り付けざるを得ない場合に、その障害物に邪魔されないそれより高所側では幅広い足場板を仮設できるように拡幅用の補助足場板を仮設するための拡幅ブラケットを取り付けるようにした仮設足場を提供する。【解決手段】低所から高所に向かって順次組み立てられる仮設足場であって、低所には障害物Ｇがあってこれを避けるために横幅の狭い足場板６を仮設した仮設足場１において、障害物Ｇに邪魔されない高所にあって前記仮設足場１を利用して前記横幅の狭い足場板６と面一に拡幅用の補助足場板７を仮設するための拡幅ブラケット２を取り付けるようにする。【選択図】図１
2010203138.tif 000002
【特許請求の範囲】
【請求項１】
低所から高所に向かって順次組み立てられる仮設足場であって、低所には障害物があってこれを避けるために横幅の狭い足場板を仮設した仮設足場において、障害物に邪魔されない高所にあって前記仮設足場を利用して前記横幅の狭い足場板と面一に拡幅用の補助足場板を仮設するための拡幅ブラケットを取り付けるようにした仮設足場。
【請求項２】
拡幅ブラケットは、支柱材と、基端部が支柱材の上端部に固着された上部水平材と、基端部が支柱材の下端部に固着された下部水平材とからなるブラケット本体を有し、上部水平材及び下部水平材の夫々先端部には楔孔付き取付シューが設けられ、各取付シューは、楔緊結式仮設足場の支柱に設けられた楔孔付きフランジに跨嵌し、当該シューの楔孔とフランジの楔孔とに亙って楔を挿入することにより、前記仮設足場の支柱に取り付けられ、仮設足場の足場板長手方向に隣り合う拡幅ブラケットの上部水平材間及び下部水平材間に夫々拡幅用の補助足場板が掛架されるようになっている請求項１に記載の仮設足場。
【請求項３】
ブラケット本体の上部水平材と支柱材との間、及び下部水平材と支柱材との間に夫々補強用斜材が介装されてなる請求項２に記載の仮設足場。
【請求項４】
ブラケット本体の支柱材は、その上端部が前記仮設足場の支柱に連結可能な連結ピンを形成している請求項１〜３の何れかに記載の仮設足場。
【発明の詳細な説明】
【技術分野】
【０００１】
本発明は、建築工事等において低所から高所に向かって順次組み立てられる作業用の仮設足場に関する。
【背景技術】
【０００２】
仮設足場を組み立てるには、後述する本発明の一実施形態を示す図１の一部参照すれば、建物躯体Ｋの外壁に近い側に鋼管からなる内側の支柱３Ａを配置し、この内側支柱３Ａを壁つなぎ材４によって建物躯体Ｋの外壁に固定し、この内側支柱３Ａに対向して同じ鋼管からなる外側支柱３Ｂを配置し、これらの内側支柱３Ａと外側支柱３Ｂとの間に横ステー５を取り付け、建物躯体Ｋに沿う水平方向隣り合う横ステー５，５間に足場板６を掛架し、したがって内側支柱３Ａ及び外側支柱３Ｂを夫々順次高所に向かって連結しながら、上記同様に内側支柱３Ａを壁つなぎ材４で建物躯体Ｋに固定し、内外支柱３Ａ，３Ｂ間に横ステー５を取り付けて、多段状に組み立ててゆくようになっている。
【０００３】
ところで、横ステー５，５間に掛架される足場板６は、できるだけ横幅の広いものが、作業上あるいは作業用資材を仮置するためにも好ましいわけであるが、図１に示すように、低所側に構造物等の障害物Ｇが存在する場合には、この障害物Ｇを避けるように内側支柱３Ａと外側支柱３Ｂを立設する必要があって、その内外支柱３Ａ，３Ｂ間には短い横ステー５を取り付けることになるから、それら横ステー５，５間には横幅の狭い足場板６を取り付けざるを得なくなる。
【発明の概要】
【発明が解決しようとする課題】
【０００４】
従来では、上記のように、仮設足場の組み立てるにあたって低所側に障害物がある場合には、これ避けるために横幅の狭い足場板しか取り付けることができず、従ってその障害物が存在するところでは、低所側から高所側に至る仮設足場全体の足場板が横幅の狭いものとなるという不都合があった。
【０００５】
本発明は、上記の事情に鑑み、低所側に障害物があってこれを避けるために横幅の狭い足場板を取り付けざるを得ない場合には、その障害物に邪魔されないそれより高所側では幅広い足場板を仮設できるように拡幅用の補助足場板を仮設するための拡幅ブラケットを取り付けるようにした仮設足場を提供することを目的とする。
【課題を解決するための手段】
【０００６】
上記課題を解決するための手段を、後述する実施形態の参照符号を付して説明すると、請求項１に係る発明は、低所から高所に向かって順次組み立てられる仮設足場であって、低所には障害物Ｇがあってこれを避けるために横幅の狭い足場板６を仮設した仮設足場１において、障害物Ｇに邪魔されない高所にあって前記仮設足場１，１１を利用して前記横幅の狭い足場板６と面一に拡幅用の補助足場板７を仮設するための拡幅ブラケット２を取り付けるようにしたことを特徴とする。
【０００７】
請求項２は、請求項１に記載の仮設足場において、拡幅ブラケット２は、支柱材１２と、基端部が支柱材１２の上端部に固着された上部水平材１３と、基端部が支柱材１２の下端部に固着された下部水平材１４とからなるブラケット本体１０を有し、上部水平材１３及び下部水平材１４の夫々先端部には楔孔９ａ，９ｂ付き取付シュー９が設けられ、各取付シュー９は、楔緊結式仮設足場１，１１の支柱３Ａ，３Ｂに設けられた楔孔８ｏ付きフランジ８に跨嵌し、当該シュー９の楔孔９ａ，９ｂとフランジ８の楔孔８ｏとに亙って楔１５を挿入することにより、前記仮設足場１，１１の支柱３Ａ，３Ｂに取り付けられ、仮設足場１，１１の足場板長手方向に隣り合う拡幅ブラケット２，２の上部水平材１３，１３間及び下部水平材１４，１４間に夫々拡幅用の補助足場板７が掛架されるようになっていることを特徴とする。
【０００８】
請求項３は、請求項２に記載の仮設足場において、ブラケット本体１０の上部水平材１３と支柱材１２との間、及び下部水平材１４と支柱材１２との間に夫々補強用斜材１６を介装してなることを特徴とする。
【０００９】
請求項４は、請求項１〜３の何れかに記載の仮設足場において、ブラケット本体１０の支柱材１２は、その上端部が前記仮設足場の支柱に連結可能な連結ピン１２ａを形成していることを特徴とする。
【発明の効果】
【００１０】
上記解決手段による発明の効果を、後述する実施形態の参照符号を付して説明すると、請求項１に係る発明によれば、低所から高所に向かって順次組み立てられる仮設足場にあって低所に障害物Ｇがあってこれを避けるために横幅の狭い足場板６を仮設した仮設足場１，１１において、障害物Ｇの上方側で障害物Ｇに邪魔されない位置に、前記横幅の狭い足場板６と面一に拡幅用の補助足場板７を仮設するための拡幅ブラケット２を取り付けることによって、障害物Ｇの上方側においては、前記横幅の狭い足場板６に拡幅用の補助足場板７を加えて拡幅された足場板６，７を一体的に仮設することができ、それにより作業上あるいは作業用資材を仮置する上で安全で好ましい仮設足場となる。
【００１１】
請求項２に係る発明によれば、拡幅ブラケット２は、支柱材１２と上部水平材１３と下部水平材１４とからなるブラケット本体１０の上部及び下部水平材１３，１４の夫々先端部に楔孔９ａ，９ｂ付き取付シュー９を設けているから、各取付シュー９を、楔緊結式仮設足場１，１１の支柱３Ａ，３Ｂに設けられた楔孔８ｏ付きフランジ８に跨嵌して、楔孔９ａ，９ｂとフランジ８の楔孔８ｏとに対し楔１５をハンマーで打ち込むだけの簡単な操作で、拡幅ブラケット２を容易に支柱３Ａ，３Ｂに取り付けることができる。また、この拡幅ブラケット２は、足場板長手方向に隣り合う拡幅ブラケット２，２の上部水平材１３，１３間及び下部水平材１４，１４間に夫々拡幅用の補助足場板７を掛架することができる利点を有する。
【００１２】
請求項３に係る発明によれば、ブラケット本体１０の上部水平材１３と支柱材１２との間、及び下部水平材１４と支柱材１２の間に夫々補強用斜材１６を介装することにより、ブラケット本体１０は、上部水平材１３及び下部水平材１４が補強されて、支柱材１２に対し直角に強固に保持され、構造的に堅固なものとなる。
【００１３】
請求項４に係る発明によれば、ブラケット本体１０の支柱材１２はその上端部が単管足場１，１１の支柱３Ａ，３Ｂに連結可能な連結ピン１２ａを形成しているから、支柱材１２の上端部に支柱３Ａ，３Ｂを連結して、そのまま拡幅ブラケット２の上方へと連続的に仮設足場を形成することができる。
【図面の簡単な説明】
【００１４】
【図１】本発明に係る拡幅ブラケットを取り付けた仮設足場の一例を示す側面図である。
【図２】図１に示す仮設足場の一部拡大図である。
【図３】(a) は拡幅ブラケットの一部拡大側面図、(b) は(a) のＸ−Ｘ線断面図である。
【図４】(a) ，(b) は支柱のフランジへの取付シューの取付方法を説明する説明図である。
【図５】仮設足場の他の例を示す側面図である。
【発明を実施するための形態】
【００１５】
以下に本発明の実施形態を図面に基づいて説明すると、図１に示す仮設足場１は、低所に構造物等の障害物Ｇが存在する部分ではその障害物Ｇを避けるように組み立てると共に、その障害物Ｇが邪魔にならない上方側に拡幅ブラケット２を取り付けることにより横幅の広い足場板を取り付けることができるように仮設した楔緊結式仮設足場である。
【００１６】
この仮設足場１の組み立てにあたっては、先ず低所において、建物躯体Ｋの外壁に近い側に鋼管からなる１段目の内側支柱３Ａを配置し、この内側支柱３Ａを壁つなぎ材４によって建物躯体Ｋの外壁に固定する。この低所には障害物Ｇが存在するから、内側支柱３Ａに対向する１段目の外側支柱３Ｂは、障害物Ｇを避けるように内側支柱３Ａへ寄った位置に配置し、これら１段目の外側支柱３Ｂと内側支柱３Ａとの間には短い横ステー５（例えば長さ約６００ｍｍ）を取り付け、そして建物躯体Ａに沿う水平方向に隣り合う横ステー５，５間には横幅の狭い（例えば横幅５００ｍｍ）の足場板６（図２参照）を掛架する。この場合、足場板６は、図１中の一部拡大図に示すように、両端部に夫々設けられているフック６ａを横ステー５に掛止させる。尚、各支柱３Ａ，３Ｂには、長さ方向一定間隔おきにフランジ８が設けられ、各フランジ８には、図３の(b) に示すように楔孔８ｏが周方向９０度おきに４つ設けてある。
【００１７】
図２から分かるように、１段目の内側支柱３Ａ及び外側支柱３Ｂには夫々２段目を連結し、その２段目の内側支柱３Ａと外側支柱３Ｂの間に同様な横ステー５を取り付けるが、図１に示すように１段目外側支柱３Ｂの上端部側では障害物Ｇに対し間隔的余裕があって障害物Ｇに邪魔されないから、この１段目外側支柱３Ｂの上端部側から２段目外側支柱３Ｂに亘る領域部分に拡幅ブラケット２を取り付ける。
【００１８】
ここで、拡幅ブラケット２の構造について説明すると、この拡幅ブラケット２は、図２に示すように、支柱材１２と上部水平材１３と下部水平材１４とからなるブラケット本体１０を有し、上部水平材１３及び下部水平材１４の夫々先端部には楔孔９ａ，９ｂ付き取付シュー９が夫々固着され、各取付シュー９は、図３に示すように、楔緊結式仮設足場１の支柱３Ａ，３Ｂに設けられた楔孔８ｏ付きフランジ８に跨嵌し、当該取付シュー９の楔孔９ａ，９ｂとフランジ８の楔孔８ｏとに亙って楔１５を挿入することにより、前記仮設足場１の支柱３Ａ，３Ｂに取り付けられるようになっている。
【００１９】
上記ブラケット本体１０の上部水平材１３と支柱材１２との間、及び下部水平材１４と支柱材１２との間には夫々補強用斜材１６が介装され、これによって上部水平材１３及び下部水平材１４が補強され、支柱材１２に対し直角に強固に保持されて、構造的に堅固なものとなっている。
【００２０】
また、支柱材１２は、仮設足場１の支柱３Ｂ（３Ａ）と同じサイズの鋼管により形成されたもので、この支柱材１２の上端部は、支柱３Ｂの下端部が外嵌して同軸に取り付けられる支柱取付ピン１２ａを形成している。尚、支柱取付ピン１２ａには、図３に示すように、上部片ａと下部片ｂと上下両片ａ，ｂをつなぐ連結片ｃとからなる略コ字状のロック部材１７が設けてあり、上部片ａは支柱取付ピン１２ａの孔ｅに対し挿脱自在に突入され、下部片ｂは、支柱取付ピン１２ａを直径方向スライド自在に貫通すると共に、バネｄで常時支柱取付ピン１２ａ内に突入するように付勢させ、従って支柱３Ｂを連結する時は、ロック部材１７の連結片ｃをバネｄに抗して外側へ引っ張って上部片ａを孔ｅから引き出した状態で支柱３Ｂの下端部を支柱取付ピン１２ａに嵌合した後、その上部片ａを支柱３Ｂの図示しない連結孔に突入させることによって連結状態にロックすることができる。尚、この支柱取付ピン１２ａは、各支柱３Ａ，３Ｂの上端部に形成されている支柱連結用ピン２０（図２参照）と同じ構造である。
【００２１】
また支柱材１２には、支柱３Ａ，３Ｂに設けてある楔孔８ｏ付きフランジ８と全く同じ楔孔１８ｏ付きフランジ１８が所定箇所に設けられていて、手摺り部材を上記同様な楔緊結式に取り付けできるようになっている。
【００２２】
上記のように構成される拡幅ブラケット２を、図１及び図２に示すように仮設足場１の１段目外側支柱３Ｂの上端部側から２段目外側支柱３Ｂにわたる領域に取り付けるには、ブラケット本体１０の上部水平材１３の先端部にある取付シュー９を、図４の(a) に示すように楔１５を上方に後退させた状態から、外側支柱３Ｂの所要位置にあるフランジ８に跨嵌して、その楔１５を取付シュー９の楔孔９ａ，９ｂにハンマーで打ち込んで挿着し、また下部水平材１４の先端部にある取付シュー９も同様にして、外側支柱３Ｂの所要位置にあるフランジ８に跨嵌し、楔１５を取付シュー９の楔孔９ａ，９ｂに打ち込んで挿着することにより、拡幅ブラケット２を取り付けることができる。
【００２３】
尚、各楔１５の先端部には隆起部１５ａが形成されており、図４の(a) に示すように、楔１５が上方に後退している時には、隆起部１５ａが肉厚であるから、取付シュー９の上部側楔孔９ａから抜け出ないようにし、これによって楔１５の紛失を防ぐことができる。この場合、下部側の楔孔９ｂは若干幅広に形成され、隆起部１５ａに支障を受けることなく、下部側の楔孔９ｂを通過して下方まで打ち込むことができるようになっている。
【００２４】
上記拡幅ブラケット２は、建物躯体Ｋの外壁に沿った水平方向（仮設される足場板の長手方向）に一定間隔をおいて所要数個取り付け、そして隣り合う拡幅ブラケット２，２の上部水平材１３，１３間及び下部水平材１４，１４間に夫々拡幅用の補助足場板７（例えば横幅２４０ｍｍ）を掛架する。この場合、補助足場板７は、図１中の一部拡大図に示すように、両端部に夫々設けてあるフック７ａを上下水平材１３，１４に掛止させる。
【００２５】
上記のようにして拡幅ブラケット２を障害物Ｇに邪魔されない障害物Ｇの上方側に取り付けたならば、この拡幅ブラケット２のブラケット本体１０を形成する支柱材１２の上端部に外側支柱３Ｂを連結し、更にその外側支柱３Ｂを順次上方に連結する一方、内側支柱３Ａも順次上方へと連結しながら、その内側支柱３Ａと外側支柱３Ｂの間には前記低所側の横ステー５（例えば長さ約６００ｍｍ）よりも長い横ステー１９（例えば長さ約９００ｍｍ）を取り付け、そして足場板長さ方向に対向する横ステー１９，１９間には、前記足場板６（例えば横幅５００ｍｍ）と、前記拡幅用補助足場板７（例えば横幅２４０ｍｍ）と同じ横幅の足場板とを並列状態に掛架する。
【００２６】
上記のように障害物Ｇの上方側でこの障害物Ｇに邪魔されない位置に拡幅ブラケット２を取り付けることによって、この障害物Ｇの上方側においては、図１の下半部に示すように、Ｌ＋Ｌａの広幅足場板（足場板６＋足場板７）を仮設することができるから、作業上あるいは作業用資材を仮置する上で安全で好ましい仮設足場となる。
【００２７】
また、図１の上半部には、前記拡幅ブラケット２の支柱材１２に複数本順次連結して上方へ延ばした内側支柱３Ａに更に拡幅ブラケット２を取り付けた状態を示している。このように更に別の拡幅ブラケット２を取り付けることにより、この仮設足場１の高所には、図１に示すようにＬ＋Ｌａ＋Ｌａの広幅足場板（足場板６＋足場板７＋足場板７）を仮設することができるから、より一層作業のを安全性を確保できると共に、作業用資材を仮置する点でもより一層好ましい作業足場１となる。尚、図１に示すように、最上段の内側支柱３Ａと外側支柱３Ｂとの間には前記横ステー１９（長さ約９００ｍｍ）よりも長い横ステー２１（例えば長さ約１２００ｍｍ）が取り付けられる。
【００２８】
図５に示すように、低所に障害物Ｇが存在し、建物躯体Ｋが高所に向かって内側に段状にくぼんで形成されるような躯体に沿って前記拡幅ブラケット２を取り付ける場合には、図１の場合と同様に組み立てられる仮設足場１１の内側に拡幅ブラケット２を図１の場合と同様に取り付け、そして建物躯体Ｋに沿う方向に隣り合う拡幅ブラケット２，２の上部水平材１３，１３間及び下部水平材１４，１４間に夫々拡幅用補助足場板７を掛架することにより、図１の場合と同様に、障害物Ｇの上方側においては、Ｌ＋Ｌａの広幅足場板、更にはＬ＋Ｌａ＋Ｌａの広幅足場板を取り付けることができる。尚、図５に示す仮設足場１１は、拡幅ブラケット２を仮設足場１１の内側支柱３Ａに取り付ける場合であり、それ以外については、図１に示す仮設足場１と同じであるから、仮設足場１及び拡幅ブラケット２の構成の説明を省略し、同じ構成部材については同一符号を付している。
【符号の説明】
【００２９】
Ｋ            建物躯体
Ｇ            障害物
１，１１      仮設足場
２            拡幅ブラケット
３Ａ，３Ｂ    仮設足場の支柱
５，１９，２１横ステー
６            足場板
７            拡幅用の補助足場板
８            支柱のフランジ
９            取付シュー
９ａ，９ｂ    楔孔
１０          ブラケット本体
１２          支柱材
１３          上部水平材
１４          下部水平材
１５          楔
１６          補強用斜材
【図１】
2010203138.tif 000003
【図２】
2010203138.tif 000004
【図３】
2010203138.tif 000005
【図４】
2010203138.tif 000006
【図５】
2010203138.tif 000007